(57)【要約】      （修正有）【課題】信頼性を向上できる吸収式冷温水機を提供する。【解決手段】排熱を熱源とする排熱焚き再生器１と、排熱焚き再生器へ排熱を有する流体を通流させる熱源流体流路１５、１７に設けられて熱源流体流路を開閉して流体の通流及び遮断を制御する流路開閉手段２１、２３と、排熱焚き再生器の温度を検出する第１の再生器温度検出手段１３と、バーナ３ａの燃焼熱を熱源とする直焚き再生器の温度を検出する第２の再生器温度検出手段３５と、蒸発器７で冷却または加温された熱媒体の温度を検出する熱媒体温度検出手段５１と、流路開閉手段及びバーナの動作を制御する制御手段１１とを備え、バーナは燃焼量を増減可能であり、制御手段は前記熱媒体の温度と排熱焚き再生器の温度及び直焚き再生器のいずれか高い方の再生器温度に応じて流路開閉手段の開閉及びバーナの燃焼量の増減を制御する構成とする。【選択図】        図１
2004239552.tif 000002
【特許請求の範囲】
【請求項１】
排熱を発生する機器からの排熱を熱源とする排熱焚き再生器と、該排熱焚き再生器へ熱源となる排熱を有する流体または排熱を回収した流体を通流させる熱源流体流路と、該熱源流体流路に設けられて該熱源流体流路を開閉して前記排熱焚き再生器への熱源となる流体の通流及び遮断を制御する流路開閉手段と、バーナの燃焼熱を熱源とする直焚き再生器と、前記排熱焚き再生器の温度を検出する第１の再生器温度検出手段及び前記直焚き再生器の温度を検出する第２の再生器温度検出手段の少なくとも一方と、蒸発器で冷却または加温された熱媒体の温度を検出する熱媒体温度検出手段と、前記流路開閉手段及び前記バーナの動作を制御する制御手段とを備え、
前記バーナは、燃焼量を増減可能であり、前記制御手段は、前記第１の再生器温度検出手段で検出した前記排熱焚き再生器の温度及び前記第２の再生器温度検出手段で検出した前記直焚き再生器の温度のうち、いずれか一方の温度を再生器温度とし、前記熱媒体温度検出手段で検出した前記熱媒体の温度と、前記再生器温度とに応じて前記流路開閉手段の開閉及び前記バーナの燃焼量の増減を制御してなる吸収式冷温水機。
【請求項２】
前記第１の再生器温度検出手段及び前記第２の再生器温度検出手段の両方を備え、前記制御手段は、前記第１の再生器温度検出手段で検出した前記排熱焚き再生器の温度及び前記第２の再生器温度検出手段で検出した前記直焚き再生器の温度のうち、いずれか高い方の温度を前記再生器温度としてなることを特徴とする請求項１に記載の吸収式冷温水機。
【請求項３】
前記バーナは、燃焼量を複数段で段階的に増減可能であり、前記制御手段は、前記熱媒体の温度に対して予め設定された複数の設定温度と、前記熱媒体温度検出手段で検出した熱媒体の温度とに応じて前記流路開閉手段の開閉及び前記バーナの燃焼量を決定した後、前記再生器温度に対して予め設定された複数の設定温度と、前記再生器温度検出手段で検出した再生器温度とに応じて、前記バーナの燃焼量を段階的に増減させることで前記直焚き再生器への入熱量を段階的に増減してなることを特徴とする請求項１または２に記載の吸収式冷温水機。
【請求項４】
前記バーナは、燃焼状態を無段階に連続的に増減可能であり、前記制御手段は、前記熱媒体の温度に対して予め設定された複数の設定温度と、前記熱媒体温度検出手段で検出した熱媒体の温度とに応じて前記流路開閉手段の開閉及び前記バーナの燃焼停止または燃焼を決定すると共に、該バーナを燃焼するときは、前記熱媒体の温度との比例関係に基づいて該バーナの燃焼量を決定した後、前記再生器温度に対して予め設定された複数の設定温度と、前記再生器温度検出手段で検出した再生器温度とに応じて、前記バーナに対して予め設定した最大燃焼量の制限値を段階的に増減させて該最大燃焼量の制限値以下の範囲内で前記熱媒体の温度との比例関係に基づいて該バーナの燃焼量を決定して前記直焚き再生器への入熱量を連続的に増減してなることを特徴とする請求項１または２に記載の吸収式冷温水機。
【請求項５】
吸収器へ供給される冷却媒体の温度を検出する冷却媒体温度検出手段を備え、前記制御手段は、前記再生器温度に対して予め設定された複数の設定温度の値を、前記冷却媒体温度検出手段で検出した冷却媒体の温度に応じて変化させてなることを特徴とする請求項３または４に記載の吸収式冷温水機。
【発明の詳細な説明】
【０００１】
【発明の属する技術分野】
本発明は、吸収式冷温水機に係り、特に、排熱を熱源とする排熱焚き再生器とバーナの燃焼熱を熱源とする直焚き再生器とを備えた多熱源駆動型の吸収式冷温水機に関する。
【０００２】
【従来の技術】
排熱を熱源とする排熱焚き再生器とバーナの燃焼熱を熱源とする直焚き再生器とを備えた多熱源駆動型の吸収式冷温水機は、省エネルギー性を得るため、通常、排熱を利用した駆動を優先的に行っている。例えば、空調システムにおいて、空調の要求があるとき、まず、排熱を利用して排熱焚き再生器により吸収式冷温水機を駆動し、空調負荷に対して排熱の熱量が足りない場合には、直焚き再生器のバーナを燃焼させて吸収式冷温水機の駆動を行う。このとき、空調負荷などの負荷に対応してバーナの燃焼の制御を行うため、吸収式冷温水機の蒸発器で冷却または加温された熱媒体の温度、つまり熱媒体が通流する熱媒体管路の蒸発器からの出口部分内の熱媒体の温度に応じてバーナの燃焼を制御している。
【０００３】
ここで、空調負荷などの負荷が大きい場合、吸収式冷温水機は、排熱焚き再生器と直焚き再生器の２つの再生器が駆動することになるため、入熱量が過剰となる場合がある。また、排熱焚き再生器での入熱量不足を直焚き再生器が補っているときに、減少していた排熱量が増大したときなどにも、入熱量が過剰となる場合がある。このような入熱量が過剰になった場合、熱媒体管路の蒸発器からの出口部分内の熱媒体の温度に応じてバーナの燃焼を制御していると、入熱量が過剰になっていても熱媒体の温度が所定の温度以下に下がるまで、バーナの駆動が続けられることになる。このため、排熱焚き再生器や直焚き再生器の温度が上昇し過ぎて再生器の温度異常となって吸収式冷温水機の運転が停止したり、排熱焚き再生器や直焚き再生器内の吸収液が過剰に濃縮されることで晶析して再生器を構成する部材の腐蝕などが発生し易くなり、保守点検作業の頻度が増すなど、吸収式冷温水機の信頼性に問題が生じる可能性がある。
【０００４】
排熱焚き再生器と直焚き再生器とを備えた多熱源駆動型の吸収式冷温水機において、立ち上がり時に排熱焚き再生器と直焚き再生器を同時に駆動させることによって生じる再生器温度の過剰な上昇を防ぐため、直焚き再生器の温度を検出する検出手段を設け、この検出手段で検出した温度が予め設定した設定温度になったら直焚き再生器のバーナの燃焼を停止して入熱量を制限することが提案されている（例えば、特許文献１参照）。
【０００５】
【特許文献１】
特開平６−２８１２８８号公報（第２−３頁、第１図）
【０００６】
【発明が解決しようとする課題】
ところが、特許文献１は、吸収式冷温水機の立ち上がり時間を短くするため、立ち上がり時に排熱焚き再生器と直焚き再生器とを同時に駆動させることによって生じる排熱焚き再生器や直焚き再生器などの温度の過剰な上昇を防ぐものである。また、排熱量が必ず１００％有ることが前提となっているため、通常運転時に排熱焚き再生器への入熱量の不足を補うために直焚き再生器を同時に駆動したときの各再生器への入熱量の制御については何ら考慮されていない。
【０００７】
また、仮に特許文献１のように直焚き再生器のバーナの燃焼及び停止を制御する場合、排熱の熱量や空調負荷といった負荷などが変動していると、熱媒体の蒸発器からの出口温度と直焚き再生器の温度とで直焚き再生器のバーナの燃焼及び停止を制御することになるため、直焚き再生器がバーナの燃焼と停止を繰り返すことになる場合がある。このため、直焚き再生器などの温度が断続的に過剰に上昇した状態となる場合があり、再生器の温度異常による運転の停止や、吸収液の晶析、再生器の腐蝕などの発生を抑えることはできず、吸収式冷温水機の信頼性を向上することはできない。
【０００８】
本発明の課題は、吸収式冷温水機の信頼性を向上することにある。
【０００９】
【課題を解決するための手段】
本発明の吸収式冷温水機は、排熱を発生する機器からの排熱を熱源とする排熱焚き再生器と、この排熱焚き再生器へ熱源となる排熱を有する流体または排熱を回収した流体を通流させる熱源流体流路と、この熱源流体流路に設けられてこの熱源流体流路を開閉して排熱焚き再生器への熱源となる流体の通流及び遮断を制御する流路開閉手段と、バーナの燃焼熱を熱源とする直焚き再生器と、排熱焚き再生器の温度を検出する第１の再生器温度検出手段及び直焚き再生器の温度を検出する第２の再生器温度検出手段の少なくとも一方と、蒸発器で冷却または加温された熱媒体の温度を検出する熱媒体温度検出手段と、流路開閉手段及びバーナの動作を制御する制御手段とを備え、バーナは、燃焼量を増減可能であり、制御手段は、第１の再生器温度検出手段で検出した前記排熱焚き再生器の温度及び第２の再生器温度検出手段で検出した直焚き再生器の温度のうち、いずれか一方の温度を再生器温度とし、熱媒体温度検出手段で検出した前記熱媒体の温度と、再生器温度とに応じて流路開閉手段の開閉及び前記バーナの燃焼量の増減を制御する構成とすることにより上記課題を解決する。
【００１０】
このような構成とすれば、熱媒体温度検出手段で検出した熱媒体の蒸発器からの熱媒体出口温度と、第１の再生器温度検出手段で検出した排熱焚き再生器の温度または第２の再生器温度検出手段で検出した直焚き再生器の温度のうちのいずれか１方の温度である再生器温度とに応じて流路開閉手段の開閉を制御することで排熱焚き再生器への入熱量を制御できる。さらに、バーナは、燃焼量を増減可能であり、熱媒体の温度と、再生器温度とに応じてバーナの燃焼量の増減を制御する。このため、バーナの燃焼量を増減させることで直焚き再生器の入熱量を増減でき、バーナの燃焼及び停止のみによって直焚き再生器の入熱量を制御した場合のように、直焚き再生器などの温度が断続的に過剰に上昇した状態となり難くい。したがって、排熱の熱量や負荷が変動しても、各再生器への入熱量が過剰になり難く、各再生器の温度異常による運転の停止や、吸収液の晶析、再生器の腐蝕などの発生を抑えることができ、吸収式冷温水機の信頼性を向上できる。
【００１１】
さらに、制御手段は、第２の再生器温度検出手段で検出した直焚き再生器の温度を再生器温度とする構成とする。このような構成とすれば、排熱焚き再生器のみが駆動しているときに、この排熱焚き再生器とほぼ同じ温度を示す直焚き再生器の温度に応じて制御を行うため、再生器への入熱量をより確実に制御にできる。
【００１２】
さらに、第１の再生器温度検出手段及び第２の再生器温度検出手段の両方を備え、制御手段は、第１の再生器温度検出手段で検出した排熱焚き再生器の温度及び第２の再生器温度検出手段で検出した直焚き再生器の温度のうち、いずれか高い方の温度を再生器温度とする構成とする。このような構成とすれば、排熱焚き再生器及び直焚き再生器のうち、そのときに最も温度が高い再生器の温度に応じて制御を行うため、再生器への入熱量を一層確実に制御にできる。
【００１３】
また、バーナが、燃焼量を複数段で段階的に増減可能であるとき、制御手段は、熱媒体の温度に対して予め設定された複数の設定温度と熱媒体温度検出手段で検出した熱媒体の温度とに応じて流路開閉手段の開閉及びバーナの燃焼量を決定した後、再生器温度に対して予め設定された複数の設定温度と、再生器温度検出手段で検出した再生器温度とに応じて、バーナの燃焼量を段階的に増減させることで直焚き再生器への入熱量を段階的に増減する構成とする。
【００１４】
さらに、バーナは、燃焼状態を無段階に連続的に増減可能であるとき、制御手段は、熱媒体の温度に対して予め設定された複数の設定温度と熱媒体温度検出手段で検出した熱媒体の温度とに応じて流路開閉手段の開閉及びバーナの燃焼停止または燃焼を決定すると共に、このバーナを燃焼するときは、熱媒体の温度との比例関係に基づいてこのバーナの燃焼量を決定した後、再生器温度に対して予め設定された複数の設定温度と、再生器温度検出手段で検出した再生器温度とに応じて、バーナに対して予め設定した最大燃焼量の制限値を段階的に増減させ、この最大燃焼量の制限値以下の範囲内で熱媒体の温度との比例関係に基づいてこのバーナの燃焼量を決定して直焚き再生器への入熱量を連続的に増減する構成とする。
【００１５】
これらの構成とすれば、吸収式冷温水機の信頼性を向上できるのに加えて、負荷に対応して吸収式冷温水機の熱媒体の冷却または加温能力の制御精度を向上できる。
【００１６】
また、吸収器へ供給される冷却媒体の温度を検出する冷却媒体温度検出手段を備え、制御手段は、再生器温度に対して予め設定された複数の設定温度の値を、冷却媒体温度検出手段で検出した冷却液の温度に応じて変化させる構成とする。このような構成とすれば、冷却液の温度が低くなるに連れて、直焚き再生器の温度も低くなることにより、再生器温度が、再生器温度に対して予め設定された複数の設定温度に達するまでの入熱量が増大するのを抑えることができるため、直焚き再生器での消費燃料を低減し、省エネルギー性を向上できる。
【００１７】
【発明の実施の形態】
（第１の実施形態）
以下、本発明を適用してなる吸収式冷温水機の第１の実施形態について図１乃至図３を参照して説明する。図１は、本発明を適用してなる吸収式冷温水機の概略構成を示す図である。図２は、本発明を適用してなる吸収式冷温水機の各再生器の入熱量制御を示す図であり、（ａ）は、冷温水出口温度による排熱焚き再生器と直焚き再生器の入熱量の制御を、（ｂ）は、再生器温度による排熱焚き再生器と直焚き再生器の入熱量の制御を示す図である。図３は、本発明を適用してなる吸収式冷温水機の冷水出口温度と再生器温度とによる排熱焚き再生器と直焚き再生器の入熱量制御の概念を示す模式図である。なお、本実施形態では、排熱焚き再生器として、排ガスを直接再生器内に通流させることで入熱を得る再生器、すなわち排ガス焚き再生器を備えた多熱源駆動型の吸収式冷温水機を例として説明を行う。
【００１８】
本実施形態の吸収式冷温水機は、図１に示すように、排ガス焚き再生器１、直焚き再生器３、低温再生器４、凝縮器５、蒸発器７、吸収器９、そして制御部１１などで構成されている。排ガス焚き再生器１は、燃焼による排ガスを発生する機器からの排ガスと稀溶液との間で熱交換を行い、排ガスが有する熱で稀溶液を加熱し冷媒蒸気を発生させるものである。このような排ガス焚き再生器１は、直焚き再生器３などよりも上に設置されている。また、排ガス焚き再生器１には、排ガス焚き再生器１の温度を検出するための第１再生器温度センサ１３が設けられている。第１再生器温度センサ１３は、排ガス焚き再生器１の温度として、排ガス焚き再生器１内の吸収溶液の温度を検出するものである。
【００１９】
排ガス焚き再生器１には、燃焼による排ガスを発生する機器類から排ガスを排ガス焚き再生器１内の排ガスの流路に導く導入流路となる導入ダクト１５、そして、排ガス焚き再生器１内の排ガスの流路から排ガスを排出するための排出流路となる排出ダクト１７が連結されている。導入ダクト１５と排出ダクト１７とは、導入ダクト１５から分岐し、排出ダクト１７に合流してバイパス流路となるバイパスダクト１９で連結されている。導入ダクト１５とバイパスダクト１９との分岐部には、導入ダクト１５とバイパスダクト１９とに排ガスの流れを切り換えるための弁やダンパーなどの流路開閉手段である流路切換装置２１が設けられている。流路切換装置２１は、オン状態のとき排ガスを導入ダクト１５へ流し、オフ状態のとき排ガスをバイパスダクト１９へ流す。
【００２０】
バイパスダクト１９と排出ダクト１７との合流部よりも排ガスの流れに対して上流側の排出ダクト１７の部分には、排ガスの流れを遮断するための弁やダンパーなどの流路開閉手段である遮断装置２３が設けられている。遮断装置２３は、オン状態のとき開き、オフ状態のとき閉じて排出ダクト１７内の排ガスの流路を遮断する。なお、遮断装置２３を設置しない構成にすることもできる。
【００２１】
このような排ガス焚き再生器１には、吸収器９で生成された稀溶液を排ガス焚き再生器１内の稀溶液の流路に導く稀溶液管路２５が連結されている。稀溶液管路２５の吸収器９からの出口部分には、稀溶液を送液するためのポンプ２７が設けられている。排ガス焚き再生器１には、排ガス焚き再生器１内の稀溶液または中間濃溶液が通流する溶液管路２９の一端が連結されている。溶液管路２９の他端は、直焚き再生器３に連結されている。排ガス焚き再生器１の上部には、排ガス焚き再生器１内で生成された冷媒蒸気が通流する第１冷媒蒸気管路３１の一端が連結されており、第１冷媒蒸気管路３１の他端は、気液分離器３３に連結されている。
【００２２】
直焚き再生器３は、バーナ３ａの燃焼によって排ガス焚き再生器１からの稀溶液または中間濃溶液を加熱するものであり、バーナ３ａには、バーナ３ａの燃焼及び停止を行うための燃料制御弁３ｂを備えた燃料供給管路３ｃが連結されている。バーナ３ａは、低燃焼、中燃焼、そして高燃焼の３段階の燃焼量と、燃焼停止との４段階に燃焼状態を切り換えることができる。また、直焚き再生器３には、直焚き再生器３の温度を検出するための第２再生器温度センサ３５が設けられている。第２再生器温度センサ３５は、直焚き再生器３の温度として、直焚き再生器３内の中間濃溶液の温度を検出するものである。
【００２３】
気液分離器３３の底部には、気液分離器３３内の底部に溜まった中間濃溶液を低温再生器４に導く中間濃溶液管路３７の一端が連結されている。中間濃溶液管路３７の他端は、低温再生器４に連結されている。直焚き再生器３の上部には、直焚き再生器３内で生成された冷媒蒸気が通流する揚液管路３９の一端が連結されており、揚液管路３９の他端は、気液分離器３３内で開口している。
【００２４】
低温再生器４内には、気液分離器３３内と連通し、気液分離器３３内の冷媒蒸気が通流する熱交換用流路４ａが設置されている。熱交換用流路４ａには、低温再生器４で加熱された熱交換用流路４ａ内を通流する冷媒蒸気を凝縮器５に導く第２冷媒蒸気管路４１が連結されている。また、低温再生器４には、中間濃溶液管路３７を介して流入してきた中間濃溶液を、熱交換用流路４ａ内を通流する冷媒蒸気の熱で加熱して濃溶液とした後、吸収器９に送るための濃溶液管路４３の一端が連結されている。濃溶液管路４３の他端は、吸収器９に連結されている。
【００２５】
凝縮器５の内部には、冷却媒体である冷却水が通流する冷却水管路４５に連結されて冷却水の流路の一部分を形成する熱交換流路５ａが設けられている。凝縮器５の底部には、冷媒蒸気が凝縮して液化した冷媒が通流する冷媒管路４７の一端が連結されている。冷媒管路４７の他端は、蒸発器７の内部に設けられた図示していない冷媒散布部に連結されている。蒸発器７の内部には、蒸発器７内で冷却または加温されて空調用の室内機などに送られる室内機用熱媒体、例えば水が通流する冷温水管路４９が連結されて、室内機用熱媒体となる水の流路の一部分を形成する熱交換流路７ａが設けられており、図示していない冷媒散布部が、熱交換流路７ａに冷媒を散布する。冷温水管路４９の蒸発器７からの出口部分には、冷温水管路４９の出口部分内の水の温度を検出する熱媒体温度センサ５１が設けられている。
【００２６】
吸収器９は、図１には図示されていないが、実際には蒸発器７と連通しており、蒸発器７で発生した冷媒蒸気が吸収器９に流入可能に構成されている。吸収器９の内部には、冷却水管路４５に連結されて冷却水の流路の一部分を形成する熱交換流路９ａが設けられている。また、吸収器９の内部には、濃溶液管路４３が連結されて熱交換流路９ａに濃溶液を散布する図示していない濃溶液散布部などが設けられている。吸収器９の底部には、蒸発器７で生成された冷媒蒸気を濃溶液が吸収することで生成された稀溶液を排ガス焚き再生器１に送るための稀溶液管路２５の一端が連結されている。冷却水管路４５の吸収器９への入口部分には、この冷却水管路４５の入口部分内の冷却媒体である冷却水の温度を検出する冷却媒体温度センサ５３が設けられている。
【００２７】
中間濃溶液管路３７には、稀溶液管路２５から分岐した分岐管路５５が合流している。分岐管路５５には、分岐管路５５内の稀溶液の通流を制御する弁５７が設けられている。また、中間濃溶液管路３７の気液分離器３３と分岐管路５５の合流部との間の部分には、稀溶液管路２５内を通流する稀溶液と、中間濃溶液管路３７内を通流する溶液との間で熱交換を行うための高温熱交換器５９が設けられている。なお、高温熱交換器５９は、稀溶液管路２５の分岐管路５５との分岐部よりも稀溶液の流れに対して下流側の部分に設けられている。
【００２８】
稀溶液管路２５のポンプ２７よりも稀溶液の流れに対して下流側の部分には、逆止弁６１が、さらに、稀溶液管路２５の逆止弁６１よりも稀溶液の流れに対して下流側で分岐管路５５との分岐部よりも上流側の部分には、稀溶液管路２５内を通流する稀溶液と濃溶液管路４３内を通流する濃溶液との間で熱交換を行う低温熱交換器６３などが設けられている。また、稀溶液管路２５の低温熱交換器６３と高温熱交換器５９との間の部分には、排ガス焚き再生器１に連続して、排ガス焚き再生器１の下流側に位置する熱交換器６５が設けられている。熱交換器６５は、排ガスと稀溶液との間で熱交換を行うものである。なお、冷却水管路４５は、吸収器９から凝縮器５を通り図示していない冷却塔に冷却水が循環するように配管されている。
【００２９】
制御部１１は、第１再生器温度センサ１３、第２再生器温度センサ３５、熱媒体温度センサ５１、冷却媒体温度センサ５３、流路切換装置２１及び遮断装置２３、そして燃料制御弁３ｂなどと、各々、配線６７を介して電気的に接続されている。なお、これらの他にもセンサ類が設置されているが、本発明と直接関係ないため省略している。
【００３０】
このような構成の吸収式冷温水機の排ガス焚き再生器及び直焚き再生器の入熱量の制御と本発明の特徴部について説明する。なお、制御部１１は、排ガスを発生する機器類からの駆動信号を受けていないとき、つまり排ガスが発生していないときには、流路切換装置２１及び遮断装置２３にオフ信号を発信して、排ガスをバイパスダクト１９に流すと共に、流路切換装置２１及び遮断装置２３によって導入ダクト１５、排ガス焚き再生器１、そして排出ダクト１７に至る排ガスの流路を閉鎖する。一方、制御部１１は、排ガスを発生する機器類からの駆動信号を受けると、冷温水の蒸発器７からの出口温度と、排ガス焚き再生器１及び直焚き再生器３のいずれか高い方の温度つまり再生器温度とに応じて流路切換装置２１及び遮断装置２３をオンオフし、排ガス焚き再生器１への排ガスの通流を制御する。ここでは、空調システムに用いられた吸収式冷温水機の制御部１１が排ガスを発生する機器類からの駆動信号を受けており、排熱を利用できるときに、冷房運転を行う場合について説明する。
【００３１】
制御部１１は、排ガスを発生する機器類からの駆動信号を受けているときに通常運転に入ると、熱媒体温度センサ５１で検出した冷水の蒸発器７からの出口温度に応じて、排ガス焚き再生器１への入熱及び直焚き再生器３のバーナ３ａの燃焼状態を決定する。このとき、制御部１１には、冷水の蒸発器７からの出口温度に対応して予め設定された４つの設定温度として入熱量を減少させるときの設定温度Ｔｃ１、Ｔｃ２、Ｔｃ３、Ｔｃ４と、入熱量を増加させるときの設定温度Ｔｃ１’、Ｔｃ２’、Ｔｃ３’、Ｔｃ４’とが入力されている。なお、Ｔｃ１＜Ｔｃ２＜Ｔｃ３＜Ｔｃ４、Ｔｃ１’＜Ｔｃ２’＜Ｔｃ３’＜Ｔｃ４’とする。
【００３２】
制御部１１は、熱媒体温度センサ５１で検出した冷水の出口温度と、設定温度とを比較し、図２（ａ）に示すように、例えば冷水の出口温度が設定温度Ｔｃ３以上になった後、冷水の出口温度がＴｃ３’より大きくＴｃ４未満の範囲に有ると、流路切換装置２１と遮断装置２３にオン指令信号を発信して排熱焚き再生器１に排ガスを通流させると共に、直焚き再生器３の燃料制御弁３ｂに中燃焼を行う開度に弁開度を調整するための中燃焼指令信号を発信する。これにより、排ガス焚き再生器１は排ガスにより、そして、直焚き再生器３はバーナ３ａの中燃焼により入熱つまりインプットが生じる。
【００３３】
このとき、制御部１１は、第１再生器温度センサ１３と第２再生器温度センサ３５で、排ガス焚き再生器１と直焚き再生器３の温度を監視しており、排ガス焚き再生器１と直焚き再生器３の温度のいずれか高い方の温度を再生器温度とし、この再生器温度に応じて直焚き再生器３はバーナ３ａの燃焼状態、または排ガス焚き再生器１への排ガスの通流を制御する。制御部１１には、再生器温度に対応して予め設定された４つの設定温度として入熱量を増加させるときの設定温度Ｔｇ１、Ｔｇ２、Ｔｇ３、Ｔｇ４と、入熱量を減少させるときの設定温度Ｔｇ１’、Ｔｇ２’、Ｔｇ３’、Ｔｇ４’とが入力されている。なお、Ｔｇ１＜Ｔｇ２＜Ｔｇ３＜Ｔｇ４、Ｔｇ１’＜Ｔｇ２’＜Ｔｇ３’＜Ｔｇ４’とする。
【００３４】
制御部１１は、第１再生器温度センサ１３と第２再生器温度センサ３５とで検出した各再生器の温度のいずれか高い方の温度を再生器温度として、この再生器温度と、設定温度とを比較し、図２（ｂ）に示すように、例えば再生器温度が設定温度Ｔｇ１以上になっていない場合には、現状の入熱量の状態、つまり排ガス焚き再生器１は排ガスにより、そして、直焚き再生器３はバーナ３ａの中燃焼により入熱している状態を維持する。再生器温度が上昇し設定温度Ｔｇ１以上になると、１段階入熱量を下げる。このとき、直焚き再生器３のバーナ３ａの燃焼量から優先的に減少させて行く。したがって、制御部１１は、再生器温度が上昇し設定温度Ｔｇ１以上になると、直焚き再生器３の燃料制御弁３ｂに中燃焼よりも１段燃焼量が減少する低燃焼を行う開度に弁開度を調整するための低燃焼指令信号を発信する。これにより、排ガス焚き再生器１は排ガスにより、そして、直焚き再生器３はバーナ３ａの低燃焼によるインプットとなり、入熱量が１段下がる。
【００３５】
制御部１１は、再生器温度が上昇し設定温度Ｔｇ２以上になると、さらに１段階入熱量を下げ、冷水の出口温度によって決定された入熱量から２段階入熱量が下がった状態とする。したがって、制御部１１は、再生器温度が上昇し設定温度Ｔｇ２以上になると、直焚き再生器３の燃料制御弁３ｂに弁を遮断するための燃焼停止指令信号を発信し、燃焼を停止する。これにより、直焚き再生器３へのインプットが無くなり、排ガス焚き再生器１の排ガスによるインプットのみとなり、入熱量がさらに１段下がる。
【００３６】
制御部１１は、再生器温度が上昇し設定温度Ｔｇ３以上になると、さらに１段階入熱量を下げ、冷水の出口温度によって決定された入熱量から３段階入熱量が下がった状態とする。したがって、制御部１１は、再生器温度が上昇し設定温度Ｔｇ３以上になると、直焚き再生器３のバーナ３ａの燃焼は停止しているため、排ガス焚き再生器１にオフ指令信号を発信し、流路切換装置２１を切り換えてバイパスダンパ１９の流路を開き、導入ダンパ１５の流路を閉じた状態とすると共に、遮断装置２３を閉じて排出ダンパ１７の流路を閉じた状態とする。これにより、直焚き再生器３へのインプットと共に、排ガス焚き再生器１へのインプットが無くなる。
【００３７】
このような制御部１１の冷水の出口温度と再生器温度に応じたインプット制御の概念を図３に模式的に示す。ここまで例示した制御の流れは、図３において破線の矢印で示した縦方向の流れである。なお、図３では、冷水の出口温度に対する設定温度として入熱量を増加させるときの設定温度Ｔｃ１、Ｔｃ２、Ｔｃ３、Ｔｃ４を示しているが、入熱量を減少させるときは、設定温度Ｔｃ１、Ｔｃ２、Ｔｃ３、Ｔｃ４を設定温度Ｔｃ１’、Ｔｃ２’、Ｔｃ３’、Ｔｃ４’  に置き換えることになる。同様に、再生器温度に対する設定温度として入熱量を減少させるときの設定温度Ｔｇ１、Ｔｇ２、Ｔｇ３、Ｔｇ４を示しているが、入熱量を増加させるときは、設定温度Ｔｇ１、Ｔｇ２、Ｔｇ３、Ｔｇ４を設定温度Ｔｇ１’、Ｔｇ２’、Ｔｇ３’、Ｔｇ４’に置き換えることになる。冷水の出口温度に対する設定温度と、再生器温度に対する設定温度とは、入熱量の増減に関係なく設定温度Ｔｃ１、Ｔｃ２、Ｔｃ３、Ｔｃ４、設定温度Ｔｇ１、Ｔｇ２、Ｔｇ３、Ｔｇ４といったように１つにすることもできるが、燃焼量の変更が頻繁に生じる場合があるため、図２に示すように、入熱量を増加させるときの設定温度と、入熱量を減少させるときの設定温度との間に幅を設けることが望ましい。
【００３８】
このような、入熱量を増加させるときの設定温度と、入熱量を減少させるときの設定温度との間に幅を設けた場合、例えば再生器温度が上昇し設定温度Ｔｇ３以上になった後、再生器温度がＴｇ３’以下になると、制御部１１は、図２（ｂ）に示すように、１段階入熱量を上げ、冷水の出口温度によって決定された入熱量から２段階入熱量が下がった状態に戻す。したがって、制御部１１は、再生器温度が下降し設定温度Ｔｇ３’以下になると、排ガス焚き再生器１にオン指令信号を発信し、流路切換装置２１を切り換えてバイパスダンパ１９の流路を閉じ、導入ダンパ１５の流路を開いた状態とすると共に、遮断装置２３を開いて排出ダンパ１７の流路を開いた状態とする。これにより、排ガス焚き再生器１へ排ガスが流れインプットが生じ、インプットが１段上がる。
【００３９】
また、制御部１１は、再生器温度が下降し設定温度Ｔｇ２’以下になると、さらに１段階入熱量を上げ、冷水の出口温度によって決定された入熱量から１段階入熱量が下がった状態に戻す。したがって、制御部１１は、再生器温度が下降し設定温度Ｔｇ２’以下になると、直焚き再生器３の燃料制御弁３ｂに弁を遮断するための低燃焼指令信号を発信し、低燃焼を開始する。これにより、排ガス焚き再生器１のインプットに加えて、直焚き再生器３への低燃焼によるインプットが生じ、入熱量がさらに１段上がる。
【００４０】
一方、熱媒体温度センサ５１で検出した冷水の蒸発器７からの出口温度、つまり冷水の出口温度が変わった場合には、制御部１１は、図３に示すように、再生器温度に応じて決定されたインプットの増減の段階、つまり冷水の出口温度に応じて決定されたインプット状態から１段階インプット減、２段階インプット減といったインプットの増減の段階を維持する制御を行う。
例えば、熱媒体温度センサ５１で検出した冷水の出口温度が、図２（ａ）に示すように、設定温度Ｔｃ３’とＴｃ４との間にあり、排ガス焚き再生器１がオン、そして、直焚き再生器３のバーナ３ａが中燃焼を選択しているときに、再生器温度が設定温度Ｔｇ２’以下となってインプットの増減の段階が１段階インプット減となり、排ガス焚き再生器１がオン、直焚き再生器３のバーナ３ａが低燃焼となっているとする。このとき、冷水温度が上昇し、冷水の出口温度が設定温度Ｔｃ４を越えると、インプットを１段上げ、直焚き再生器３のバーナ３ａが中燃焼となる。つまり、図２（ａ）に従えば、冷水の出口温度が設定温度Ｔｃ４を越えると、排ガス焚き再生器１がオン、直焚き再生器３のバーナ３ａが高燃焼の状態となるが、再生器温度に応じてインプットの増減の段階が１段階インプット減となっているため、直焚き再生器３のバーナ３ａが高燃焼よりも１段階インプットを下げた中燃焼の状態となる。
このように、制御部１１は、再生器温度に応じてインプットの増減の段階が決定された後、冷水の出口温度が変わった場合には、図３において、決定されたインプットの増減の段階に対応する行の中での一点鎖線で示した矢印のような横方向の流れの制御、例えば１段階インプット減の状態を維持する横方向の流れの制御を行う。
【００４１】
なお、暖房運転の場合、蒸発器７からの出口温度、つまり温水温度や再生器温度に対する設定温度の数値の違い、そして温水温度が下がると燃焼量を増加させることを除けば冷房運転と同様の制御となる。また、排熱を利用できない場合には、排ガス焚き再生器１の流路切換装置２１及び遮断装置２３が常時オフ状態になっていることを除き、直焚き再生器３の燃料制御弁３ｂの調整によるバーナ３の燃焼量の制御が同様に行われる。
【００４２】
このように、本実施形態の吸収式冷温水機では、熱媒体温度センサ５１で検出した冷水の蒸発器７からの出口温度と、第１再生器温度センサ１３で検出した排熱焚き再生器１の温度及び第２再生器温度センサ３５で検出した直焚き再生器３の温度のいずれか高い方の再生器温度とに応じて流路切換装置２１及び遮断装置２３を制御することで排熱焚き再生器１への入熱量を制御できる。
【００４３】
さらに、直焚き再生器３のバーナ３ａは、停止を含め燃焼量を４段階に増減可能であり、熱媒体温度センサ５１で検出した冷水の蒸発器７からの出口温度と、第１再生器温度センサ１３で検出した排熱焚き再生器１の温度及び第２再生器温度センサ３５で検出した直焚き再生器３の温度のいずれか高い方の温度である再生器温度とに応じてバーナ３ａの燃焼量の増減を制御する。このため、バーナ３ａの燃焼量を４段階に増減させることで直焚き再生器３の入熱量を増減でき、バーナが燃焼及び停止の２段階によって直焚き再生器の入熱量を制御した場合のように、直焚き再生器などの温度が断続的に過剰に上昇した状態となり難くい。
【００４４】
したがって、排熱の熱量や負荷が変動しても、各再生器１、３への総入熱量が過剰になり難く、各再生器１、３の温度異常による運転の停止や、吸収液の晶析、再生器の腐蝕などの発生を抑えることができ、吸収式冷温水機の信頼性を向上できる。
【００４５】
さらに、バーナが燃焼及び停止の２段階によって直焚き再生器の入熱量を制御した場合に生じる比較的短時間での再生器の温度と圧力の変動を抑制することができ、吸収式冷温水機の耐久性を向上できる。
【００４６】
加えて、直焚き再生器３のバーナ３ａの燃焼量を複数段に増減させて入熱量を増減できるため、よりきめ細かな能力制御が可能となり、空調負荷などの負荷の変化や排熱量の増減に対応して吸収式冷温水機の熱媒体の冷却または加温能力の制御精度を向上できる。また、空調負荷などの負荷の変化や排熱量の増減に対応して吸収式冷温水機の熱媒体の冷却または加温能力の制御精度を向上できることにより、空調出力を安定化でき、さらに、バーナの燃料消費を抑えることができ、省エネルギー性をより向上できる。
【００４７】
また、本実施形態では、直焚き再生器３バーナ３ａの燃焼状態が燃焼停止を含めて４段階に切り換え可能であり、また、蒸発器７からの冷温水の出口温度に対する設定温度及び再生器温度に対する設定温度を各々４つ設定している。しかし、直焚き再生器３バーナ３ａの燃焼状態の切り換え段数や、冷温水の出口温度に対する設定温度及び再生器温度に対する設定温度の数は、適宜設定できる。
【００４８】
（第２の実施形態）
以下、本発明を適用してなる吸収式冷温水機の第２の実施形態について図１、図２、図４及び図５を参照して説明する。図４は、本発明を適用してなる吸収式冷温水機の冷温水出口温度による排熱焚き再生器と直焚き再生器の入熱量制御を示す図である。図５は、発明を適用してなる吸収式冷温水機の冷水出口温度と再生器温度とによる排熱焚き再生器と直焚き再生器の入熱量制御の概念を示す模式図である。なお、本実施形態では、第１の実施形態と同一の構成などには同じ符号を付して説明を省略し、第１の実施形態と相違する特徴部などについて説明する。
【００４９】
本実施形態が第１の実施形態と相違する点は、直焚き再生器が有するバーナが燃焼量を連続的に増減でき、制御部が、吸収式冷温水機の冷温水出口温度と再生器温度とに応じてバーナの燃焼量を比例制御することにある。すなわち、本実施形態の吸収式冷温水機は、図１に示すように、第１の実施形態と同様の構成であるが、燃料制御弁３ｂは、弁開度が連続的に調整できるものとなっており、このため、バーナ３ａは、燃焼量を連続的に増減できる構成となっている。
【００５０】
本実施形態の制御部１１は、第１の実施形態と同様に、排ガスを発生する機器類からの駆動信号を受けているときに通常運転に入ると、熱媒体温度センサ５１で検出した冷水の蒸発器７からの出口温度に応じて、排ガス焚き再生器１への入熱及び直焚き再生器３のバーナ３ａの燃焼状態を決定する。このとき、制御部１１には、冷水の蒸発器７からの出口温度に対応して予め設定された６つの設定温度として、入熱量を段階的に増加させるときの設定温度Ｔｃ１、Ｔｃ２、入熱量を段階的に減少させるときの設定温度Ｔｃ１’、Ｔｃ２’、入熱量を比例的に増減させる範囲の設定温度Ｔｃ３、Ｔｃ３’が入力されている。そして、制御部１１は、図４に示すように、Ｔｃ１＜Ｔｃ２＜Ｔｃ３、Ｔｃ１’＜Ｔｃ２’＜Ｔｃ３’であり、設定温度Ｔｃ３’とＴｃ３との間で、冷水の蒸発器７からの出口温度、つまり冷水の出口温度に対してバーナ３ａの燃焼量を比例制御する。
【００５１】
制御部１１は、熱媒体温度センサ５１で検出した冷水の出口温度と、設定温度とを比較し、冷水の出口温度が設定温度Ｔｃ２以上のときには、流路切換装置２１と遮断装置２３にオン指令信号を発信して排熱焚き再生器１に排ガスが通流する状態とすると共に、直焚き再生器３の燃料制御弁３ｂに燃焼指令信号を発信する。これにより、排ガス焚き再生器１、直焚き再生器３共にインプットが生じた状態となる。冷水の出口温度が低下しても設定温度Ｔｃ２’以上であれば、排熱焚き再生器１に排ガスが通流している状態と、直焚き再生器３のバーナ３ａが燃焼している状態とを維持する。
しかし、冷水の出口温度が設定温度Ｔｃ２を下回り、設定温度Ｔｃ１’以上Ｔｃ２’未満の間では流路切換装置２１と遮断装置２３にオン指令信号を発信して排熱焚き再生器１に排ガスを通流させた状態で、直焚き再生器３の燃料制御弁３ｂに燃焼停止指令信号を発信し、直焚き再生器３のバーナ３ａを燃焼停止状態とする。これにより、排ガス焚き再生器１のみにインプットが生じた状態となる。冷水の出口温度がさらに低下して、設定温度Ｔｃ１’以下になると、流路切換装置２１と遮断装置２３にオフ指令信号を発信して排熱焚き再生器１に排ガスを通流さない状態とする。これにより、排ガス焚き再生器１、直焚き再生器３共にインプットが無い状態となる。
【００５２】
制御部１１は、冷水の出口温度が設定温度Ｔｃ２を越えた後、設定温度Ｔｃ３’以上Ｔｃ３以下のときは、排熱焚き再生器１に排ガスを通流させると共に、直焚き再生器３のバーナ３ａの燃焼量を、例えば２５％から１００％の間で、冷水の出口温度に比例させて増減する制御を行っている。冷水の出口温度が設定温度Ｔｃ３以上のときは、排熱焚き再生器１に排ガスを通流させると共に、直焚き再生器３のバーナ３ａの燃焼量を１００％で燃焼させる。また、冷水の出口温度が設定温度Ｔｃ２’以上Ｔｃ３’未満のときは、排熱焚き再生器１に排ガスを通流させると共に、直焚き再生器３のバーナ３ａの燃焼量を２５％で燃焼させる。
【００５３】
このとき、制御部１１は、第１再生器温度センサ１３と第２再生器温度センサ３５で、排ガス焚き再生器１と直焚き再生器３の温度を監視しており、排ガス焚き再生器１と直焚き再生器３の温度のいずれか高い方の温度を再生器温度とし、この再生器温度に応じて予め入力された直焚き再生器３はバーナ３ａの最大燃焼量の制限値を決定し、最大燃焼量を制限する制御を行う。制御部１１には、例えば再生器温度に対応して予め設定された設定温度として入熱量を減少させるときの４つの設定温度Ｔｇ１、Ｔｇ２、Ｔｇ３、Ｔｇ４と、入熱量を減少させるときの４つの設定温度Ｔｇ１’、Ｔｇ２’、Ｔｇ３’、Ｔｇ４’とが入力されている。なお、Ｔｇ１＜Ｔｇ２＜Ｔｇ３＜Ｔｇ４、Ｔｇ１’＜Ｔｇ２’＜Ｔｇ３’＜Ｔｇ４’とする。また、設定温度Ｔｇ１、Ｔｇ２、Ｔｇ３、Ｔｇ４と、設定温度Ｔｇ１’、Ｔｇ２’、Ｔｇ３’、Ｔｇ４’との関係は、図２（ｂ）の通りである。
【００５４】
冷水の出口温度が設定温度Ｔｃ２を越えた後、設定温度Ｔｃ３’以上Ｔｃ３以下にある場合、制御部１１は、図４及び図５に示すように、再生器温度がＴｇ１未満のときには、排熱焚き再生器１に排ガスを通流させると共に、直焚き再生器３のバーナ３ａの最大燃焼量を１００％とし、この範囲内で、つまり２５％以上１００％以下の範囲内で、冷水の出口温度に対応して直焚き再生器３のバーナ３ａの燃焼量を比例制御する。再生器温度がＴｇ１以上Ｔｇ２未満のときには、排熱焚き再生器１に排ガスを通流させると共に、直焚き再生器３のバーナ３ａの最大燃焼量を例えば７０％に制限し、この範囲内で、つまり２５％以上７０％以下の範囲内で、冷水の出口温度に対応して直焚き再生器３のバーナ３ａの燃焼量を比例制御する。再生器温度がＴｇ２以上Ｔｇ３未満のときには、排熱焚き再生器１に排ガスを通流させると共に、直焚き再生器３のバーナ３ａの最大燃焼量を例えば４０％に制限し、この範囲内で、つまり２５％以上４０％以下の範囲内で、冷水の出口温度に対応して直焚き再生器３のバーナ３ａの燃焼量を比例制御する。
【００５５】
さらに、制御部１１は、再生器温度がＴｇ３以上Ｔｇ４未満のときには、排熱焚き再生器１に排ガスを通流させるが、直焚き再生器３のバーナ３ａに燃焼停止指令信号を発信して直焚き再生器３のバーナ３ａの燃焼を停止する。再生器温度がＴｇ４以上のときには、流路切換装置２１と遮断装置２３にオフ指令信号を発信して排熱焚き再生器１への排ガスの通流を遮断し、排熱焚き再生器１にも直焚き再生器３にもインプットが無い状態とする。
【００５６】
このような、本実施形態の吸収式冷温水機でも、第１の実施形態と同様の効果を得ることができる。
【００５７】
また、本実施形態では、直焚き再生器３のバーナ３ａの燃焼量の比例制御範囲を２５％以上１００以下とし、さらに、直焚き再生器３のバーナ３ａの最大燃焼量の制限値として、４０％、７０％、１００％の３段階の制限値が設定されている。また、蒸発器７からの冷温水の出口温度に対する設定温度及び再生器温度に対する設定温度を各々６つ及び８つ設定している。しかし、直焚き再生器３バーナ３ａの燃焼量の比例制御範囲や、制限値の値、そして冷温水の出口温度に対する設定温度及び再生器温度に対する設定温度の数は、適宜設定できる。
【００５８】
（第３の実施形態）
以下、本発明を適用してなる吸収式冷温水機の第３の実施形態について図１、図６、図７及び図８を参照して説明する。図６は、本発明を適用してなる吸収式冷温水機の冷却水の入口温度に対する再生器温度に対する設定温度の決め方を説明する図である。図７は、本発明を適用してなる吸収式冷温水機の冷却水の入口温度に対する再生器温度に対する設定温度の別の決め方を説明する図である。図８は、本発明を適用してなる吸収式冷温水機の冷却水の入口温度に対する再生器温度に対する設定温度のさらに別の決め方を説明する図である。なお、本実施形態では、第１及び第２の実施形態と同一の構成などには同じ符号を付して説明を省略し、第１及び第２の実施形態と相違する特徴部などについて説明する。
【００５９】
本実施形態は、第１及び第２の実施形態と同様の制御を行うものであるが、冷却水の吸収器への入口温度を検出し、再生器温度に対する設定温度を冷却水の入口温度に応じて変化させている点が異なっている。
【００６０】
例えば、図１に示すように、冷却水管路４５から吸収器９に供給される冷却水の温度、つまり冷却水の吸収器９への入口温度が低くなるに連れて、直焚き再生器３の温度も低くなることにより、再生器温度が、再生器温度に対して予め設定された複数の設定温度に達するまでの入熱量が増大する。このため、直焚き再生器３での消費燃料が増大してしまう。
【００６１】
また、冷却水管路４５から吸収器９に供給される冷却水の温度、つまり冷却水の吸収器９への入口温度が比較的低く、空調負荷も比較的低い場合、第１及び第２の実施形態の吸収式冷温水機では、再生器温度に対する設定温度の決め方によって、入熱量が過剰であるにもかかわらず、排熱焚き再生器１や直焚き再生器３に対する入熱量の低減が行われない場合がある。このような状態となると、濃溶液の濃度が必要以上に濃縮されて濃くなり、吸収液の晶析などを生じる場合もある。
【００６２】
このため、本実施形態の吸収式冷温水機では、制御部１１は、図１に示すように、冷却水管路４５の入口部分内の冷却水の温度を検出する冷却媒体温度センサ５３を用い、冷却水の入口温度を検出する。そして、図６に示すように、冷却媒体温度センサ５３で検出した冷却水の入口温度に比例して、再生器温度に対する設定温度、つまり第１及び第２の実施形態において入熱量を増加させるときの設定温度Ｔｇ１、Ｔｇ２、Ｔｇ３、Ｔｇ４、及び入熱量を減少させるときの設定温度Ｔｇ１’、Ｔｇ２’、Ｔｇ３’、Ｔｇ４’を変化させている。
【００６３】
このように、冷却水の入口温度の線形関数として再生器温度に対する設定温度を変化させることで、冷却水の温度が下がれば、再生器温度に対する設定温度も下がる。このため、再生器温度が、再生器温度に対して予め設定された複数の設定温度に達するまでの入熱量が増大するのを抑えることができ、直焚き再生器での消費燃料を低減し、省エネルギー性を向上できる。
【００６４】
さらに、冷却水の入口温度によって、入熱量が過剰であるにもかかわらず、排熱焚き再生器１や直焚き再生器３に対する入熱量の低減が行われないといった状態が発生するのを抑制することができる。したがって、冷却水の入口温度によって、濃溶液の濃度が必要以上に濃縮されることによる吸収液の晶析を抑制できるため、吸収式冷温水機の信頼性を一層向上できる。
【００６５】
また、本実施形態では、冷却水の入口温度に比例して再生器温度に対する設定温度を変化させる場合を示したが、図７に示すように、冷却水の入口温度に対して予め設定温度Ｔｃｏ１、Ｔｃｏ２（Ｔｃｏ１＜Ｔｃｏ２）などを設定し、冷却水の入口温度がＴｃｏ１以上、Ｔｃｏ２以上になるに連れ、再生器温度に対する設定温度を段階的に上昇させることもできる。また、図８に示すように、Ｔｃｏ１とＴｃｏ２との間で、冷却媒体温度センサ５３で検出した冷却水の入口温度に比例して、再生器温度に対する設定温度を変化させることなどもできる。
【００６６】
また、第１乃至第３の実施形態では、排ガス焚き再生器１の温度と、直焚き再生器３の温度とのうち、いずれか高い方の温度を再生器温度としている。しかし、排熱焚き再生器と直焚き再生器の温度は、溶液の循環により近い温度となるため、排熱焚き再生器と直焚き再生器の温度のどちらか一方のみに温度検出手段を設け、温度検出手段を設けた方の再生器の温度を再生器温度として制御を行うこともできる。このとき、直焚き再生器は、溶液の流れに対して排熱焚き再生器の下流側に位置するため、排ガス焚き再生器のみに入熱がある場合でも、直焚き再生器の温度は、排熱焚き再生器とほぼ同じ温度を示す。したがって、どちらか一方の再生器みに温度検出手段を設ける場合は、直焚き再生器に設けた方が、再生器への入熱量をより確実に制御できる。さらに、本実施形態のように、排熱焚き再生器の温度と直焚き再生器の温度のうちの高い方の温度を再生器温度として制御を行えば、再生器への入熱量を一層確実に制御できる。
【００６７】
加えて、排熱焚き再生器と直焚き再生器との両方に温度検出手段を設けた場合でも、排熱焚き再生器１の温度、直焚き再生器３の温度とのうち、いずれか高い方の温度を再生器温度とするだけでなく、他の方法で排熱焚き再生器と直焚き再生器のうち、いずれか１方の温度を再生器温度とし、制御を行うこともできる。例えば、制御部は、排熱源の駆動を示す駆動信号の有無などから排熱焚き再生器の駆動状態を判断し、排熱焚き再生器が駆動しているときには、排熱焚き再生器の温度を再生器温度とし、排熱焚き再生器が駆動していないときには、直焚き再生器の温度を再生器温度として制御を行うことなどもできる。
【００６８】
また、第１乃至第３の実施形態では、室内機用冷媒として水を例示したが、室内機用冷媒としては水以外の様々な冷媒を用いることができる。
【００６９】
また、本発明は、第１乃至第３の実施形態の構成の吸収式冷温水機に限らず、排ガス焚き以外の排熱を有する流体または排熱を回収した流体を通流させる排熱焚き再生器と直焚き再生器とを備えた様々な構成の多熱源駆動型の吸収式冷温水機に適用することができる。
【００７０】
【発明の効果】
本発明によれば、吸収式冷温水機の信頼性を向上できる。
【図面の簡単な説明】
【図１】本発明を適用してなる吸収式冷温水機の第１の実施形態の概略構成を示す図である。
【図２】本発明を適用してなる吸収式冷温水機の第１の実施形態における各再生器の入熱量制御を示す図であり、（ａ）は、冷温水出口温度による排熱焚き再生器と直焚き再生器の入熱量の制御を、（ｂ）は、再生器温度による排熱焚き再生器と直焚き再生器の入熱量の制御を示す図である。
【図３】本発明を適用してなる吸収式冷温水機の第１の実施形態の冷温水出口温度と再生器温度とによる排熱焚き再生器と直焚き再生器の入熱量制御の概念を示す模式図である。
【図４】本発明を適用してなる吸収式冷温水機の第２の実施形態の冷温水出口温度による排熱焚き再生器と直焚き再生器の入熱量制御を示す図である。
【図５】発明を適用してなる吸収式冷温水機の第２の実施形態の冷水出口温度と再生器温度とによる排熱焚き再生器と直焚き再生器の入熱量制御の概念を示す模式図である。
【図６】本発明を適用してなる吸収式冷温水機の第３の実施形態における冷却水の入口温度に対する再生器温度に対する設定温度の決め方を説明する図である。
【図７】本発明を適用してなる吸収式冷温水機の第３の実施形態における冷却水の入口温度に対する再生器温度に対する設定温度の別の決め方を説明する図である。
【図８】本発明を適用してなる吸収式冷温水機の第３の実施形態における冷却水の入口温度に対する再生器温度に対する設定温度のさらに別の決め方を説明する図である。
【符号の説明】
１  排ガス焚き再生器
３  直焚き再生器
７  蒸発器
１１  制御部
１３  第１再生器温度センサ
１５  導入ダクト
１７  排出ダクト
１９  バイパスダクト
２１  流路切換装置
２３  遮断装置
３５  第２再生器温度センサ
５１  熱媒体温度センサ
【図１】
2004239552.tif 000003
【図２】
2004239552.tif 000004
【図３】
2004239552.tif 000005
【図４】
2004239552.tif 000006
【図５】
2004239552.tif 000007
【図６】
2004239552.tif 000008
【図７】
2004239552.tif 000009
【図８】
2004239552.tif 000010
【手続補正書】
【提出日】平成16年2月17日(2004.2.17)
【手続補正１】
【補正対象書類名】明細書
【補正対象項目名】００３１
【補正方法】変更
【補正の内容】
【００３１】
制御部１１は、排ガスを発生する機器類からの駆動信号を受けているときに通常運転に入ると、熱媒体温度センサ５１で検出した冷水の蒸発器７からの出口温度に応じて、排ガス焚き再生器１への入熱及び直焚き再生器３のバーナ３ａの燃焼状態を決定する。このとき、制御部１１には、冷水の蒸発器７からの出口温度に対応して予め設定された４つの設定温度として入熱量を増加させるときの設定温度Ｔｃ１、Ｔｃ２、Ｔｃ３、Ｔｃ４と、入熱量を減少させるときの設定温度Ｔｃ１’、Ｔｃ２’、Ｔｃ３’、Ｔｃ４’とが入力されている。なお、Ｔｃ１＜Ｔｃ２＜Ｔｃ３＜Ｔｃ４、Ｔｃ１’＜Ｔｃ２’＜Ｔｃ３’＜Ｔｃ４’とする。


【手続補正２】
【補正対象書類名】明細書
【補正対象項目名】００３３
【補正方法】変更
【補正の内容】
【００３３】
このとき、制御部１１は、第１再生器温度センサ１３と第２再生器温度センサ３５で、排ガス焚き再生器１と直焚き再生器３の温度を監視しており、排ガス焚き再生器１と直焚き再生器３の温度のいずれか高い方の温度を再生器温度とし、この再生器温度に応じて直焚き再生器３はバーナ３ａの燃焼状態、または排ガス焚き再生器１への排ガスの通流を制御する。制御部１１には、再生器温度に対応して予め設定された４つの設定温度として入熱量を減少させるときの設定温度Ｔｇ１、Ｔｇ２、Ｔｇ３、Ｔｇ４と、入熱量を増加させるときの設定温度Ｔｇ１’、Ｔｇ２’、Ｔｇ３’、Ｔｇ４’とが入力されている。なお、Ｔｇ１＜Ｔｇ２＜Ｔｇ３＜Ｔｇ４、Ｔｇ１’＜Ｔｇ２’＜Ｔｇ３’＜Ｔｇ４’とする。


【手続補正３】
【補正対象書類名】明細書
【補正対象項目名】００５１
【補正方法】変更
【補正の内容】
【００５１】
制御部１１は、熱媒体温度センサ５１で検出した冷水の出口温度と、設定温度とを比較し、冷水の出口温度が設定温度Ｔｃ２以上のときには、流路切換装置２１と遮断装置２３にオン指令信号を発信して排熱焚き再生器１に排ガスが通流する状態とすると共に、直焚き再生器３の燃料制御弁３ｂに燃焼指令信号を発信する。これにより、排ガス焚き再生器１、直焚き再生器３共にインプットが生じた状態となる。冷水の出口温度が低下しても設定温度Ｔｃ２’以上であれば、排熱焚き再生器１に排ガスが通流している状態と、直焚き再生器３のバーナ３ａが燃焼している状態とを維持する。
しかし、冷水の出口温度が設定温度Ｔｃ２’を下回り、設定温度Ｔｃ１’以上Ｔｃ２未満の間では流路切換装置２１と遮断装置２３にオン指令信号を発信して排熱焚き再生器１に排ガスを通流させた状態で、直焚き再生器３の燃料制御弁３ｂに燃焼停止指令信号を発信し、直焚き再生器３のバーナ３ａを燃焼停止状態とする。これにより、排ガス焚き再生器１のみにインプットが生じた状態となる。冷水の出口温度がさらに低下して、設定温度Ｔｃ１’以下になると、流路切換装置２１と遮断装置２３にオフ指令信号を発信して排熱焚き再生器１に排ガスを通流さない状態とする。これにより、排ガス焚き再生器１、直焚き再生器３共にインプットが無い状態となる。


【手続補正４】
【補正対象書類名】明細書
【補正対象項目名】００５３
【補正方法】変更
【補正の内容】
【００５３】
このとき、制御部１１は、第１再生器温度センサ１３と第２再生器温度センサ３５で、排ガス焚き再生器１と直焚き再生器３の温度を監視しており、排ガス焚き再生器１と直焚き再生器３の温度のいずれか高い方の温度を再生器温度とし、この再生器温度に応じて予め入力された直焚き再生器３はバーナ３ａの最大燃焼量の制限値を決定し、最大燃焼量を制限する制御を行う。制御部１１には、例えば再生器温度に対応して予め設定された設定温度として入熱量を減少させるときの４つの設定温度Ｔｇ１、Ｔｇ２、Ｔｇ３、Ｔｇ４と、入熱量を増加させるときの４つの設定温度Ｔｇ１’、Ｔｇ２’、Ｔｇ３’、Ｔｇ４’とが入力されている。なお、Ｔｇ１＜Ｔｇ２＜Ｔｇ３＜Ｔｇ４、Ｔｇ１’＜Ｔｇ２’＜Ｔｇ３’＜Ｔｇ４’とする。また、設定温度Ｔｇ１、Ｔｇ２、Ｔｇ３、Ｔｇ４と、設定温度Ｔｇ１’、Ｔｇ２’、Ｔｇ３’、Ｔｇ４’との関係は、図２（ｂ）の通りである。


【手続補正５】
【補正対象書類名】明細書
【補正対象項目名】００６２
【補正方法】変更
【補正の内容】
【００６２】
このため、本実施形態の吸収式冷温水機では、制御部１１は、図１に示すように、冷却水管路４５の入口部分内の冷却水の温度を検出する冷却媒体温度センサ５３を用い、冷却水の入口温度を検出する。そして、図６に示すように、冷却媒体温度センサ５３で検出した冷却水の入口温度に比例して、再生器温度に対する設定温度、つまり第１及び第２の実施形態において入熱量を減少させるときの設定温度Ｔｇ１、Ｔｇ２、Ｔｇ３、Ｔｇ４、及び入熱量を増加させるときの設定温度Ｔｇ１’、Ｔｇ２’、Ｔｇ３’、Ｔｇ４’を変化させている。